(57)【要約】【課題】巻回されるコードの交差を防止し得る駆動プーリーを提供する。【解決手段】駆動手段で回転される駆動プーリーにコードを１周巻回して掛装し、コードをカーテンレール内に沿って周回させて、カーテン生地を移送する電動カーテンにおいて、駆動プーリー１３の軸部の断面形状を、曲線部２０と該曲線部２０に連なる斜辺部２１，２２で形成し、その斜辺部２１，２２の挟み角を９０°以下とした。【選択図】図３
2009100806.tif 000002
【特許請求の範囲】
【請求項１】
駆動手段で回転される駆動プーリーにコードを１周巻回して掛装し、前記コードをカーテンレールに沿って周回させて、カーテン生地を移送するカーテンにおいて、
前記駆動プーリーの軸部の断面形状を、曲線部と該曲線部に連なる斜辺部で形成し、その斜辺部の挟み角θを９０°以下としたことを特徴とするカーテンのコード駆動プーリー。
【請求項２】
前記コードの直径をＺとしたとき、前記曲線部の半径Ｒを、Ｒ＝Ｚ×Ｘ／２で設定し、Ｘを１．７〜２．０の範囲内とし、前記挟み角θを１５°〜９０°の範囲内とし、前記軸部の中心線と２本のコードの中心を結ぶ線との挟み角θａを２０°以上としたことを特徴とする請求項１記載のカーテンのコード駆動プーリー。
【請求項３】
前記コードの直径をＺとしたとき、前記曲線部の半径Ｒを、Ｒ＝Ｚ×Ｘ／２で設定し、Ｘを１．２〜１．７の範囲内とし、前記挟み角θを３５°〜９０°の範囲内とし、前記軸部の中心線と２本のコードの中心を結ぶ線との挟み角θａを２０°以上としたことを特徴とする請求項１記載のカーテンのコード駆動プーリー。
【請求項４】
前記駆動プーリーの回転軸芯を垂直方向としたことを特徴とする請求項１乃至３のいずれか１項に記載のカーテンのコード駆動プーリー。
【発明の詳細な説明】
【技術分野】
【０００１】
この発明は、カーテンレールに沿って周回して、カーテン生地を移送するコードを駆動する駆動プーリーに関するものである。
【背景技術】
【０００２】
電動カーテンは、カーテンレール内に張設される無端状のコードに先頭ランナーが取着され、モータの駆動力でコードをカーテンレール内で周回させることにより、多数のランナーに吊下支持されたカーテン生地をカーテンレールに沿って引き出し、あるいは畳み込み可能としたものである。
【０００３】
コードは、カーテンレールの両端部でプーリーに掛装され、一方のプーリーをモータで回転駆動することにより、カーテンレール内を周回するようになっている。
モータで回転駆動されるプーリーに掛装されるコードは、プーリーの空回りを防止するための摩擦力を確保するために、プーリーに対しコードが１周巻回された状態で掛装されている。
【０００４】
図７は、従来のプーリーの一例を示す。カーテンレール１の一端部において、回転軸芯を垂直方向として回動可能に支持されたプーリー２には、無端状のコード３の一方の無端縁が１周巻回された状態で掛装されている。プーリー２にはベルト４が掛装され、そのベルト４を介してモータで回転駆動される。
【０００５】
図８に示すように、プーリー２にはコード３を巻回する丸軸状の軸部５が形成され、その軸部５の下方はコード３を軸部５に案内するように円錐台状に形成されている。
【特許文献１】特許第３８５２７６７号公報
【発明の開示】
【発明が解決しようとする課題】
【０００６】
上記のようにコード３を掛装したプーリー２では、カーテン生地の引き出し操作及び畳み込み操作にともなって正逆転され、その回転方向の変化にともなって軸部５へのコード３の巻取り方向が正逆転する。
【０００７】
すると、カーテン生地の引き出し操作及び畳み込み操作を繰り返すにつれて、図９に示すように、軸部５に巻回されたコード３が交差する状態が発生し、コード３のその後の周回動作に支障を来たすことがある。
【０００８】
特許文献１には、モータで回転駆動されるプーリーでコードをガイドレール内で周回させるようにした幕開閉装置が開示されている。この幕開閉装置では、プーリーの近傍に位置するガイド体でコードを上下に分離してプーリーに案内する構成が開示されているが、この構成はコードの弛みを吸収するものであり、プーリーに巻回されるコードの交差を防止することはできない。
【０００９】
この発明の目的は、巻回されるコードの交差を防止し得る駆動プーリーを提供することにある。
【課題を解決するための手段】
【００１０】
請求項１では、駆動手段で回転される駆動プーリーにコードを１周巻回して掛装し、前記コードをカーテンレールに沿って周回させて、カーテン生地を移送するカーテンにおいて、前記駆動プーリーの軸部の断面形状を、曲線部と該曲線部に連なる斜辺部で形成し、その斜辺部の挟み角θを９０°以下とした。
【００１１】
請求項２では、コードの直径をＺとしたとき、前記曲線部の半径Ｒを、Ｒ＝Ｚ×Ｘ／２で設定し、Ｘを１．７〜２．０の範囲内とし、前記挟み角θを１５°〜９０°の範囲内とし、前記軸部の中心線と２本のコードの中心を結ぶ線との挟み角θａを２０°以上とした。
【００１２】
請求項３では、コードの直径をＺとしたとき、前記曲線部の半径Ｒを、Ｒ＝Ｚ×Ｘ／２で設定し、Ｘを１．２〜１．７の範囲内とし、前記挟み角θを３５°〜９０°の範囲内とし、前記軸部の中心線と２本のコードの中心を結ぶ線との挟み角θａを２０°以上とした。
【００１３】
請求項４では、前記駆動プーリーの回転軸芯を垂直方向とした。
【発明の効果】
【００１４】
本発明によれば、巻回されるコードの交差を防止し得る駆動プーリーを提供することができる。
【発明を実施するための最良の形態】
【００１５】
以下、この発明を具体化した電動カーテンの一実施の形態を図面に従って説明する。図１に示す電動カーテンは、カーテンレール１１に多数のランナー１２が移動可能に支持され、前記ランナー１２からカーテン生地（図示しない）が吊下支持される。
【００１６】
前記カーテンレール１１の一端部には駆動プーリー１３がその回転軸芯を垂直方向として回転可能に支持され、カーテンレール１１の他端部には従動プーリー１４が回転可能に支持されている。そして、駆動プーリー１３と従動プーリー１４には、無端状のコード１５が掛装され、そのコード１５に前記ランナー１２の先頭に位置する交差ランナー１６が取着されている。
【００１７】
前記カーテンレール１１の一端部下方にはモータ（駆動手段）１７が配設され、そのモータ１７の出力軸はギヤボックス１８を介して前記交差ランナー１６の中心軸に連結されている。従って、モータ１７が正逆回転されると前記駆動プーリー１３が正逆回転され、その駆動プーリー１３の正逆回転によりコード１５がカーテンレール１１内で正逆方向に周回する。そして、コード１５の周回にともなって交差ランナー１６が移動して、カーテン生地の引き出し操作あるいは畳み込み操作が行われる。
【００１８】
図２に示すように、前記駆動プーリー１３にはコード１５が１周巻回された状態で掛装されて、十分な摩擦力が確保されている。図３に示すように、前記駆動プーリー１３は、コード１５を掛装する軸部１９の断面形状が円弧状に凹む曲線部２０と、その曲線部２０の上下に連なる斜辺部２１，２２とで構成される。そして、その軸部１９に掛装されるコード１５は、曲線部２０と斜辺部２１，２２の作用と、コード１５から軸部１９に作用する押圧力Ｆ１，Ｆ２により、交差しない状態で周回される。
【００１９】
その作用を詳述すると、図６（ａ）に示すように、曲線部の半径をＲとし、斜辺部２１，２２の挟み角をθとし、曲線部２０の中心線とコード１５の中心を結ぶ線との挟み角をθａとし、コード１５の直径をＺとしたとき、曲線部２０の半径ＲはＲ＝Ｚ×Ｘ／２で設定する。
【００２０】
そして、図３に示す軸部１９は、図６（ｂ）に示すように、Ｘ＝１．７５、θ＝１５°、θａ＝２６°に設定した場合である。
このように構成された軸部１９の作用を図４及び図５に従って説明する。図４は、駆動プーリー１３が正転方向に回転される場合を示す。同図（ａ）（ｂ）に示すように、コード１５は駆動プーリー１３に巻き取られる側が駆動プーリー１３から引き出される側より僅かに下方となるように案内される。
【００２１】
同図（ｃ）は、駆動プーリー１３の各位置ａ〜ｄにおける軸部１９でのコード１５の状態を示す。ａ位置では、新たに巻き取られるコード１５ａが既に巻き取られているコード１５ｂの斜め下方位置に巻き取られ、そのコード１５ａ，１５ｂはｂ位置に移動するにつれて、コード１５ａに作用する力により曲線部２０に沿って上方へ移動する。
【００２２】
次いで、ｃ位置に移動するにつれて、コード１５ａ，１５ｂは上下方向に並ぶ状態まで移動し、コード１５ｂは駆動プーリー１３から排出される。そして、ｄ位置ではコード１５ａのみが曲線部２０の底部に位置し、さらにａ位置では新たなコードが巻き取られて、上記のような動作を繰り返す。
【００２３】
図５は、駆動プーリー１３が逆転方向に回転される場合を示す。同図（ａ）（ｂ）に示すように、コード１５は駆動プーリー１３に巻き取られる側が駆動プーリー１３から引き出される側より上方となるように案内される。
【００２４】
同図（ｃ）は、駆動プーリー１３の各位置ａ〜ｄにおける軸部１９でのコード１５の状態を示す。ｃ位置では、新たに巻き取られるコード１５ａが既に巻き取られているコード１５ｂの斜め上方位置に巻き取られ、そのコード１５ａ，１５ｂはｂ位置に移動するにつれて、コード１５ａに作用する力により曲線部２０に沿って下方へ移動する。
【００２５】
次いで、ａ位置に移動するにつれて、コード１５ａ，１５ｂは上下方向に並ぶ状態まで移動し、コード１５ｂは駆動プーリー１３から排出される。そして、ｄ位置ではコード１５ａのみが曲線部２０の底部に位置し、さらにｃ位置では新たなコードが巻き取られて、上記のような動作を繰り返す。
【００２６】
上記のような動作により、駆動プーリー１３が正転方向及び逆転方向に回転されたとき、コード１５が交差して軸部１９に巻かれることはない。
また、上記のような動作は、Ｘ＝１．７５、θ＝１５°、θａ＝２６°に設定した場合以外にも、図６（ｃ）〜（ｉ）に示す条件の範囲内でもほぼ同様な作用を得ることができる。従って、Ｘは１．７〜２．０の範囲内とするとき、θは１５°〜９０°の範囲内、θａは２０°以上とする。また、Ｘは１．２〜１．７の範囲内とするとき、θは３５°〜９０°の範囲内、θａは２０°以上とする。
【００２７】
上記のように構成された電動カーテンの駆動プーリー１３では、次に示す作用効果を得ることができる。
（１）駆動プーリー１３にコード１５を１周巻回した状態で、駆動プーリー１３を正逆方向に回転させても、駆動プーリー１３に巻回されたコード１５が交差することはない。
（２）駆動プーリー１３で、コード１５の交差を防止することができるので、カーテンレール１１内でのコード１５の周回動作時に、モータ１７の負荷の増大を防止することができる。
（３）駆動プーリー１３に案内するコード１５の上下方向の間隔を確保するようなガイドを設けなくても、駆動プーリー１３でのコード１５の交差を防止することができる。
【００２８】
上記実施の形態は、以下の態様で実施してもよい。
・曲線部２０は、真円の一部となる曲線以外に、楕円の一部をなす曲線形状としてもよい。
・駆動プーリー１３を手動で回転駆動するカーテンに実施することもできる。
【図面の簡単な説明】
【００２９】
【図１】電動カーテンのカーテンレールを示す正面図である。
【図２】駆動プーリーを示す正面図である。
【図３】駆動プーリーに掛装されたコードを示す断面図である。
【図４】（ａ）〜（ｃ）は駆動プーリーの作用を示す説明図である。
【図５】（ａ）〜（ｃ）は駆動プーリーの作用を示す説明図である。
【図６】（ａ）〜（ｉ）は駆動プーリーの変形例を示す説明図である。
【図７】電動カーテンのプーリーの従来例を示す正面図である。
【図８】プーリーの従来例を示す正面図である。
【図９】電動カーテンのプーリーの従来例を示す正面図である。
【符号の説明】
【００３０】
１１…カーテンレール、１３…駆動プーリー、１５，１５ａ，１５ｂ…コード、１７…駆動手段（モータ）、１９…軸部、２０…曲線部、２１，２２…斜辺部。
【図１】
2009100806.tif 000003
【図２】
2009100806.tif 000004
【図３】
2009100806.tif 000005
【図４】
2009100806.tif 000006
【図５】
2009100806.tif 000007
【図６】
2009100806.tif 000008
【図７】
2009100806.tif 000009
【図８】
2009100806.tif 000010
【図９】
2009100806.tif 000011